(57)【要約】【課題】取り付け作業を簡易に行うことができ、さらに、被哺乳者を傷つける虞がない。【解決手段】被哺乳者が授乳する位置で哺乳瓶を保持する哺乳瓶保持具１であって、保持具本体２と、保持具本体２から一方向に延在し、被哺乳者の胴体を弾性変形して挟持する一対の胴体挟持部４ａ，４ｂと、保持具本体２から他方向に延在し、哺乳瓶を弾性変形して挟持する一対の哺乳瓶挟持部３ａ，３ｂとを備え、一対の胴体挟持部４ａ，４ｂの間には、湾曲した第１凹部４ｃが形成されている、ことを特徴とする。【選択図】図１
2014133083.tif 000002
【特許請求の範囲】
【請求項１】
被哺乳者が授乳する位置で哺乳瓶を保持する哺乳瓶保持具であって、
保持具本体と、
前記保持具本体から一方向に延在し、前記被哺乳者の胴体を弾性変形して挟持する一対の胴体挟持部と、
前記保持具本体から他方向に延在し、前記哺乳瓶を弾性変形して挟持する一対の哺乳瓶挟持部と、
を備え、
前記一対の胴体挟持部の間には、湾曲した第１凹部が形成されている、
ことを特徴とする哺乳瓶保持具。
【請求項２】
前記一対の哺乳瓶挟持部は、
先端が互いに近接する方向に湾曲すると共に前記哺乳瓶の直径よりも短く、さらに前記一対の哺乳瓶挟持部の間に第２凹部が形成されている、
ことを特徴とする請求項１に記載された哺乳瓶保持具。
【請求項３】
前記保持具本体、前記一対の胴体挟持部、及び前記一対の哺乳瓶挟持部は、
内部に所定の容積の気体又は液体が封入可能な空間が形成されている、
ことを特徴とする請求項１又は請求項２に記載した哺乳瓶保持具。
【請求項４】
前記一対の胴体挟持部は、少なくとも何れか一方に突起部が形成され、
前記突起部は、前記一対の胴体挟持部の延在する延在方向とは異なる方向に突出していることを特徴とする請求項１ないし請求項３の何れか１項に記載の哺乳瓶保持具。
【請求項５】
前記突起部は、前記一対の胴体挟持部の先端側で前記延在方向に直交する前後方向の長さを大きくする方向に突出していることを特徴とする請求項４に記載の哺乳瓶保持具。
【請求項６】
前記突起部は、前記一対の胴体挟持部のそれぞれから突出して左右対称に形成されていることを特徴とする請求項４に記載の哺乳瓶保持具。
【発明の詳細な説明】
【技術分野】
【０００１】
本発明は、哺乳瓶を用いた授乳において被哺乳者が授乳する位置で哺乳瓶を保持する哺乳瓶保持具に関するものである。
【背景技術】
【０００２】
被哺乳者（哺乳期の哺乳動物であり人間に限定されない。以下では、人間の乳幼児を想定して説明する。）に対して、哺乳瓶を用いて飲料（母乳，人工乳（ミルク），ジュース，お茶等）を与える場合に、被哺乳者が飲料を飲み終わるまで、哺乳瓶を被哺乳者の顔面付近で保持する必要がある。従来より、世話人の負担を軽減するために、哺乳瓶を用いた授乳において被哺乳者が授乳する位置で哺乳瓶を保持する哺乳瓶保持具が開発されている。
【０００３】
このような哺乳瓶保持具として、例えば、特許文献１の技術が開示されている。特許文献１に記載された哺乳瓶保持具は、哺乳瓶を保持される保持手段を有する本体部と、該本体部を被哺乳者に取り付ける取付部との２つの構造物を面ファスナやボタンを用いて接続する構成であった。
【先行技術文献】
【特許文献】
【０００４】
【特許文献１】実登３０６６５３９号公報
【発明の概要】
【発明が解決しようとする課題】
【０００５】
しかしながら、特許文献１に記載された技術では、取付部が被哺乳者の体の一部（例えば、胴体）に巻着する帯材として構成されるので、必ず一度は被哺乳者の背中を取付部が通過しなければならない。その為、哺乳瓶保持具の取り付けに時間がかかっていた。これは、被哺乳者がベビーカーに乗っている状態や自動車に装着して使用する幼児拘束装置（ＣＲＳ:Child Restraint System）に固定されている状態を想定した場合、ベビーカー等に固定されている哺乳者を一度抱き上げるか、又は少なくとも上半身を起こして背中に空間をつくらなければならないので特に問題となる。その為、取り付けがより簡易な哺乳瓶保持具の開発が望まれている。
【０００６】
また、特許文献１に記載された哺乳瓶保持具では、面ファスナやボタンが被哺乳者に接触するので、被哺乳者の身体を傷つける虞があった。これは、被哺乳者として人間の乳幼児を想定した場合、乳幼児の肌はとても繊細なため特に問題となる。その為、被哺乳者を傷つける虞のない哺乳瓶保持具の開発が望まれる。
【０００７】
本発明は前記問題に鑑みてなされたものであり、取り付け作業を簡易に行うことができ、さらに、被哺乳者を傷つける虞がない哺乳瓶保持具を提供することを課題とする。
【課題を解決するための手段】
【０００８】
前記課題を解決するため、本発明に係る哺乳瓶保持具は、被哺乳者が授乳する位置で哺乳瓶を保持する哺乳瓶保持具であって、保持具本体と、前記保持具本体から一方向に延在し、前記被哺乳者の胴体を弾性変形して挟持する一対の胴体挟持部と、前記保持具本体から他方向に延在し、前記哺乳瓶を弾性変形して挟持する一対の哺乳瓶挟持部とを備え、前記一対の胴体挟持部の間には、湾曲した第１凹部が形成されていることを特徴とする。
【０００９】
かかる構成によれば、哺乳瓶保持具は、一対の胴体挟持部の弾性力に抗して押し拡げられ、被哺乳者の胴体に装着される。そして、哺乳瓶保持具は、一対の哺乳瓶挟持部の弾性力に抗して押し拡げられ、哺乳瓶を挟持する。哺乳瓶保持具は、哺乳瓶を哺乳瓶挟持部と、この哺乳瓶挟持部の間に形成される凹部との位置で挟んで保持され、哺乳瓶の吸口が被哺乳者の口元に位置する。
【００１０】
また、本発明に係る哺乳瓶保持具は、前記一対の哺乳瓶挟持部が、先端が互いに近接する方向に湾曲すると共に前記哺乳瓶の直径よりも短く、さらに前記一対の哺乳瓶挟持部の間に第２凹部が形成されていることが好ましい。
【００１１】
かかる構成によれば、哺乳瓶保持具は、一対の哺乳瓶挟持部の先端の２点と一対の哺乳瓶挟持部により形成される第２凹部の１点との合計３点で哺乳瓶を支持する。したがって、本発明に係る哺乳瓶保持具によれば、哺乳瓶挟持部の弾性変形の範囲内で容器部分の直径が異なる哺乳瓶を安定して保持することができる。
【００１２】
また、本発明に係る哺乳瓶保持具は、前記保持具本体、前記一対の胴体挟持部、及び前記一対の哺乳瓶挟持部が、内部に所定の容積の気体又は液体が封入可能な空間が形成されていることが好ましい。
【００１３】
かかる構成によれば、哺乳瓶保持具は、内部に気体や液体を封入することで一対の胴体挟持部及び一対の哺乳瓶挟持部を形成し、内部から封入した気体や液体を排出することで小さく納収することができる。また、哺乳瓶保持具によれば、保持具本体の内部に注入する空気の量を調整することで、哺乳瓶挟持部が哺乳瓶を挟持する力や胴体挟持部が被哺乳者の胴体に取り付けられる力を調整することが可能である。
【００１４】
また、本発明に係る哺乳瓶保持具は、前記一対の胴体挟持部の少なくとも何れか一方に突起部が形成され、前記突起部が前記一対の胴体挟持部の延在する延在方向とは異なる方向に突出していることが好ましい。
この突起部は、前記一対の胴体挟持部の先端側で前記延在方向に直交する前後方向の長さを大きくする方向に突出しているのがよい。また、この突起部は、前記一対の胴体挟持部のそれぞれから突出して左右対称に形成されているのがよい。
【００１５】
かかる構成によれば、哺乳瓶保持具は、被哺乳者に取り付けられた場合に被哺乳者と胴体挟持部とが接触する面積や寝床面と胴体挟持部とが接触する面積を突起部の突起側面分だけ大きくすることができる。その為、被哺乳者が手足を動かしても、突起部がない場合に比べて簡単に外れることがない。
【発明の効果】
【００１６】
本発明によれば、取り付け作業を簡易に行うことができる。また、被哺乳者を傷つける虞がない。
【図面の簡単な説明】
【００１７】
【図１】実施形態に係る哺乳瓶保持具の外観斜視図である。
【図２】実施形態に係る哺乳瓶保持具の正面図である。
【図３】実施形態に係る哺乳瓶保持具の右側面図である。
【図４】実施形態に係る哺乳瓶保持具の使用態様を説明するための図である。
【図５】変形例に係る哺乳瓶保持具の外観斜視図である。
【図６】変形例に係る哺乳瓶保持具の正面図である。
【図７】変形例に係る哺乳瓶保持具の底面図である。
【図８】変形例に係る哺乳瓶保持具の使用態様を説明するための図である。
【図９】変形例に係る哺乳瓶保持具の突起部が被哺乳者の胴体の下に入り込む状態を説明するための図である。
【図１０】他の変形例に係る哺乳瓶保持具の正面図である。
【発明を実施するための形態】
【００１８】
以下、本発明の実施するための形態を、適宜図面を参照しながら詳細に説明する。
各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている場合がある。なお、各図において、共通する構成要素や同様な構成要素については、同一の符号を付し、それらの重複する説明を省略する。
【００１９】
［実施形態］
≪実施形態に係る哺乳瓶保持具の構成≫
哺乳瓶保持具１は、被哺乳者の胴部に胴体取付部４を装着し、哺乳瓶保持部３に哺乳瓶を保持して、被哺乳者に哺乳を行うものである。
この哺乳瓶保持具１は、ここでは、空気注入排出部１ａを通して空気を注入することにより膨らませて使用する保持具本体２の上部に哺乳瓶Ｍ（図４（ｂ）参照）を保持する哺乳瓶保持部３が形成され、さらに保持具本体２の下部に被哺乳者（図４（ｂ）参照）の体の一部（例えば、胴体）に取り付けられる胴体取付部４が形成されている。哺乳瓶保持具１は、哺乳瓶Ｍが保持される哺乳瓶保持部３と被哺乳者の体の一部（例えば、胴体）に取り付けられる胴体取付部４とが、同一の構造物である保持具本体２に一体として形成されている。以下では、各構成について詳細に説明する。
【００２０】
＜保持具本体の構成＞
保持具本体２は、被哺乳者の胴部に取り付けられる胴体取付部４や哺乳瓶Ｍが保持される哺乳瓶保持部３が形成されるものである。
この保持具本体２は、ここでは、複数のパーツを接合することにより構成され、内部に所定の容積の気体（特に、空気）が封入可能な空間が形成される袋形状を成している。保持具本体２は、空気注入排出部１ａを通して空気を注入することで膨らむ軟性の材料、さらに内部に注入した気体を外部に逃がさない（空気が通らない）材料であればよく、例えば軟質のポリ塩化ビニルなどを用いることができる。保持具本体２は、内部に空気が注入されることで、所定の厚さになる（図３参照）。
【００２１】
保持具本体２の正面右側に空気の注入や排出をするための空気注入排出部１ａが形成される。この空気注入排出部１ａは、一般的な機構であり、浮輪等に使用されているものを用いることができる。
【００２２】
また、保持具本体２の内部に注入する空気の量により、保持具本体２内部の圧力が変化する。その為、哺乳瓶保持具１に外部から力（ちから）が与えられた場合に、この力（ちから）に対する反発力が保持具本体２の内部の空気の量により異なる。これを利用し、本実施形態に係る哺乳瓶保持具１は、保持具本体２の内部に注入する空気の量を調整することで、哺乳瓶保持部３が哺乳瓶Ｍを保持する力や胴体取付部４が被哺乳者の胴体に取り付けられる力を調整することが可能である。
【００２３】
（哺乳瓶保持部）
哺乳瓶保持部３は、弾性変形により発生する付勢力を用いて哺乳瓶Ｍを保持するものである。
この哺乳瓶保持部３は、ここでは、保持具本体２から何れかの一方向（本実施形態では、上方）に突出するように一体に設けられ、哺乳瓶Ｍを横に寝かせた状態で容器部分の周面を挟持（狭持）する一側挟持部３ａ、及び他側挟持部３ｂの一対として構成される。両挟持部３ａ，３ｂは、離間する方向に押し拡げられることで弾性変形し、その弾性変形により発生する近接する方向への付勢力を用いて哺乳瓶を挟持する。両挟持部３ａ，３ｂは、ここでは正面視において左右対称であり、当該両挟持部３ａ，３ｂの間に湾曲した凹部３ｃが形成されている。両挟持部３ａ，３ｂは、根元部３ｄ，３ｅに対して先端部３ｆ，３ｇが互いに近接する方向に湾曲している。
【００２４】
両挟持部３ａ，３ｂは、凹部３ｃから先端部３ｆ，３ｇまでの深さｈ（すなわち両挟持部３ａ，３ｂの先端部３ｆ，３ｇまでの高さ）が、哺乳瓶Ｍの容器部分の直径よりも短く設計される。なお、哺乳瓶は、多数種類があるが、一般的な一つを基準としてその哺乳瓶の直径よりも短くなるようにここでは形成している。より具体的には、両挟持部３ａ，３ｂは、両先端部３ｆ，３ｇが哺乳瓶Ｍの容器部分の半径の位置又は半径を少し越える位置にくるように形成されるのが好適である。そのため、両挟持部３ａ，３ｂに挟持された哺乳瓶Ｍは、哺乳瓶の容器部分の保持具本体２に対して反対側の一部が両先端部３ｆ，３ｇより上方に露出する（図３参照）。
【００２５】
また、両挟持部３ａ，３ｂは、両根元部３ｄ，３ｅ間の幅ｗ１が、哺乳瓶の容器部分の直径よりも大きく、一方、両先端部３ｆ，３ｇの幅ｗ２が、哺乳瓶の容器部分の直径よりも小さく設計される。すなわち、両先端部３ｆ，３ｇの幅ｗ２＜哺乳瓶の容器部分の直径＜両根元部３ｄ，３ｅ間の幅ｗ１という関係が成り立つ。そのため、両挟持部３ａ，３ｂは、両根元部３ｄ，３ｅが挟持した哺乳瓶の容器部分の保持具本体２側の片側半円の周面に当接せず、両先端部３ｆ，３ｇのみが哺乳瓶の容器部分の保持具本体２に対して反対側の片側半円の周面に当接する。それにより、両挟持部３ａ，３ｂは、哺乳瓶に対して、哺乳瓶を挟持する方向の力を与えると共に、保持具本体２に近接する方向（凹部３ｃに押し付ける方向）の力を与える。
【００２６】
すなわち、仮に、両先端部３ｆ，３ｇまでの高さが哺乳瓶の容器部分の直径よりも長い挟持部（以下、「従来の挟持部」と呼ぶ）を想定した場合、この従来の挟持部は、先端でない側面全体で哺乳瓶の容器部分の周面を挟持する。その為、この従来の挟持部は、哺乳瓶の容器部分の直径が異なることによる少しの緩みで、所定の位置で安定して哺乳瓶を保持することができない。一方、本実施形態の哺乳瓶保持部３は、両挟持部３ａ，３ｂの根元部３ｄ，３ｅから先端部３ｆ，３ｇまでの側面全体で哺乳瓶を保持するのではなく、弾性変形した両挟持部３ａ，３ｂの先端部３ｆ，３ｇの２点と、凹部３ｃの１点との合計３点で哺乳瓶を保持する。このため、哺乳瓶保持部３は、両挟持部３ａ，３ｂの弾性変形の範囲内で容器部分の直径が異なる哺乳瓶を所定の位置で安定して保持することができる。
【００２７】
（胴体取付部）
胴体取付部４は、弾性変形により発生する付勢力を用いて、被哺乳者の胴体への哺乳瓶保持具１の取り付けを実現するものである。
この胴体取付部４は、ここでは、保持具本体２から両挟持部３ａ，３ｂが突出する方向とは異なる他方（特に反対方向がよく、本実施形態では下方）に突出するように一体に設けられ、被哺乳者の身体の一部（例えば、胴体）を挟持（狭持）する一側挟持部４ａ、及び他側挟持部４ｂの一対として構成される。両挟持部４ａ，４ｂは、離間する方向に押し拡げられることで弾性変形し、その弾性変形により発生する近接する方向への付勢力を用いて被哺乳者の胴体を挟持する。
【００２８】
両挟持部４ａ，４ｂは、哺乳瓶保持具１が被哺乳者に取り付けた場合に安定するように、哺乳瓶保持具１が使用される被哺乳者の体格、使用される状況、内容物を含めた哺乳瓶の重さ等を考慮して設計する。両挟持部４ａ，４ｂは、ここでは正面視において左右対称であり、当該両挟持部４ａ，４ｂの間に被哺乳者に取り付けられるための湾曲した凹部４ｃが形成されている。凹部４ｃの形状は特に限定されないが、哺乳瓶保持具１が被哺乳者に取り付けられた場合に、被哺乳者の身体にかかる負担が少ないように面接触する形状が好適である。本実施形態においては、両挟持部４ａ，４ｂは、正面視において略半円形状の凹部４ｃが形成され、この略半円形状の凹部４ｃが被哺乳者の胴体に面で接触することで安定する。
【００２９】
このような構成により、本実施形態の哺乳瓶固定具１は、取り付け時に被哺乳者の背中に空間を確保する必要がなく、被哺乳者の胴体に簡易に取り付けることができる。また、哺乳瓶固定具１は、仮に被哺乳者がベルトでベビーカー等に固定されていても、ベルトの上から取り付けることが可能である。
【００３０】
≪実施形態に係る哺乳瓶保持具の使用態様≫
次に、哺乳瓶保持具１を被哺乳者に装着して使用する場合について説明する。
最初に、哺乳瓶保持具１の取り付けを行う者（以下では、世話人という。）は、胴体取付部４の両挟持部４ａ，４ｂを離間する方向に力（ちから）を加えることで弾性変形させ、両挟持部４ａ，４ｂの幅を被哺乳者の胴体の幅よりも拡げる。この両挟持部４ａ，４ｂが弾性変形した状態では、両挟持部４ａ，４ｂが元の形状に戻ろうとする方向（両挟持部４ａ，４ｂが近接する方向）に付勢力が働いている。
【００３１】
続いて、世話人は、哺乳瓶保持部３が上方に位置するように哺乳瓶保持具１を立てた状態で、弾性変形した両挟持部４ａ，４ｂが被哺乳者の胴体部を挟み込む位置に持っていき、両挟持部４ａ，４ｂに加えていた力（ちから）を開放する。これにより、両挟持部４ａ，４ｂは、元の形状に戻ろうとする方向（両挟持部４ａ，４ｂを近接する方向）に働く付勢力で被哺乳者の胴体部を挟持する（図４（ａ）参照）。この状態では、凹部４ｃが被哺乳者の胴体に面接触しているので、被哺乳者が挟持されていることにより感じる負担が少ない。
【００３２】
続いて、世話人は、哺乳瓶保持部３の両挟持部３ａ，３ｂの間に哺乳瓶Ｍを強制的に押し込み、両挟持部３ａ，３ｂが離間する方向に弾性変形させながら哺乳瓶Ｍの周面が凹部３ｃに到達するまで挿入する（図４（ｂ）参照）。この両挟持部３ａ，３ｂが弾性変形した状態では、両挟持部３ａ，３ｂが元の形状に戻ろうとする方向（両挟持部３ａ，３ｂが近接する方向）に付勢力が働いており、哺乳瓶保持部３は、この付勢力を用いて両挟持部３ａ，３ｂの先端部３ｆ，３ｇ、及び凹部３ｃの３点で哺乳瓶を３点支持している。その為、哺乳瓶Ｍが所定の位置で安定して保持される。
【００３３】
図４（ｂ）に示す状態で、被哺乳者は、世話人の手助けなく自力で哺乳瓶内の飲料を飲むことができる（図４（ｃ）参照）。なお、哺乳瓶は、吸口を吸わないと内容物である飲料が出ない構造になっているので、被哺乳者が哺乳瓶の吸口を吸うことを止めることで、飲料の排出も止まる。そのため、被哺乳者は、自分の意思で哺乳瓶内の飲料を飲むことができ、哺乳瓶内の飲料を強制的に飲まされる虞もない。
以上で、実施形態に係る哺乳瓶保持具の使用態様についての説明を終了する。
【００３４】
［変形例］
以上、本発明の実施形態について説明したが、本発明はこれに限定されるものではなく、その趣旨を変えない範囲で実施することができる。実施形態の変形例を以下に示す。
【００３５】
実施形態の哺乳瓶保持具１は、保持具本体１、哺乳瓶保持部３、及び胴体取付部４の内部に空気を封入する場合を説明したが、空気以外の気体、液体（温水や冷水等）を封入可能な構成としてもよい。
また、哺乳瓶保持具１は、保持具本体１、哺乳瓶保持部３、及び胴体取付部４を、一定範囲で弾性変形する材料（発砲スチロール等）を用いて成型されてもよい。その場合、胴体取付部４の大きさにより、Ｓ、Ｍ、Ｌなどのサイズのラインアップを用意するのがよい。このような材料で哺乳瓶保持具１が成型されれば、破損による空気漏れや破裂が発生する虞がない。
【００３６】
また、実施形態の哺乳瓶保持具１は、内部に空気が封入される空間が１つであったが、内部を複数の空間に分割（例えば、哺乳瓶保持部３が形成される部分と胴体取付部４が形成される部分とに内部空間を分割）して、各々の空間に封入される空気の量を調整できる構成にしてもよい。これにより、哺乳瓶保持部３が哺乳瓶を挟持する力と胴体取付部４が被哺乳者の胴体を挟持する力とを別々に調整可能である。なお、哺乳瓶保持部３と胴体取付部４とで材料を違うものにしたり、哺乳瓶保持部３の内部に封入する物質と胴体取付部４の内部に封入する物質とを違うものにしてもよい。
【００３７】
また、実施形態の哺乳瓶保持具１は、内部に空気を封入する空間が形成されていたが、この空間に鈴を入れておき、被哺乳者の興味を引き付けるようにしてもよい。また、哺乳瓶保持具１は、表面に模様を印刷し、被哺乳者の興味を引き付けるようにしてもよい。
【００３８】
また、実施形態の哺乳瓶保持具１は、哺乳瓶保持部３の凹部３ｃが湾曲していたが、両先端部３ｆ，３ｇの幅ｗ２＜哺乳瓶の容器部分の直径＜両根元部３ｄ，３ｅ間の幅ｗ１の関係が成り立てば、凹部３ｃの形状は湾曲に限定されない。例えば、凹部３ｃは直線形状でもよい。
【００３９】
また、実施形態の哺乳瓶保持具１は、被哺乳者として人間の乳幼児を想定していたが、介護を必要とする成人や、人間以外の哺乳動物（例えば、サルやチンパンジー等）に用いることもできる。その場合、哺乳瓶保持具１は、被哺乳者の体格、使用される状況、内容物を含めた哺乳瓶の重さ等を考慮して適宜設計変更する。
【００４０】
また、実施形態の哺乳瓶保持具１は、被哺乳者に取り付けられた場合に被哺乳者から外れ難くする突起部が両挟持部４ａ，４ｂに形成されていてもよい。この突起部は、挟持部４ａ，４ｂの少なくとも何れか一方に形成され、挟持部４ａ，４ｂの延在する延在方向とは異なる方向に突出するのがよい。挟持部４ａ，４ｂの延在する延在方向とは異なる方向は、例えば、延在方向に直交する前後方向や左右方向等である。図５ないし図７に、突起部が形成されている哺乳瓶保持具の一例を示す。
【００４１】
哺乳瓶保持具１Ａは、挟持部４ａ，４ｂの先端側で前方向に突出する突起部４ｄ，４ｅが形成されている。ここで先端側とは、哺乳瓶保持具１Ａが被哺乳者に取り付けられた場合に被哺乳者の背中から横腹に位置する部分であり、先端から概ね挟持部４ａ，４ｂの長さの４０パーセントまでの位置をいう。ここでは、哺乳瓶保持具１Ａの内部に空気を注入すること等を考慮して、突起部４ｄ，４ｅが円錐形状をなしている。
【００４２】
図７を参照して突起部４ｄ，４ｅのより具体的な形状について説明する。
突起部４ｄ，４ｅは、底面における中心Ｏを通る正面方向の直線Ｋ１に対してθ°（例えば、３０°〜６０°程度）だけ内側に傾いて形成されている。これにより、哺乳瓶保持具１Ａは、両挟持部４ａ，４ｂの先端側の前後方向の長さが「Ｈ×ｃｏｓθ」だけ大きくなっている。その為、哺乳瓶保持具１Ａは、被哺乳者に取り付けられた場合に、被哺乳者と挟持部４ａ，４ｂとが接触する面積や寝床面と挟持部４ａ，４ｂとが接触する面積を突起部４ａ，４ｂの突起側面分だけ大きくすることができる。したがって、被哺乳者が手足を動かしても、突起部４ａ，４ｂがない場合に比べて簡単に外れることがない。
【００４３】
また、突起部４ｄ，４ｅは、中心Ｏから挟持部４ａ，４ｂの先端内側までの距離Ｌ１よりも中心Ｏから突起部４ｄ，４ｅの先端までの距離Ｌ２が大きくなるように形成されている。これにより、哺乳瓶保持具１Ａは、両挟持部４ａ，４ｂの先端側の間隔が「（Ｌ２−Ｌ１）×２」だけ狭まっている。その為、哺乳瓶保持具１Ａは、被哺乳者に取り付けられた場合に、突起部４ｄ，４ｅを被哺乳者の背中から横腹付近に突起側面が当接して引っ掛けることができる。したがって、被哺乳者が手足を動かしても、突起部４ａ，４ｂがない場合に比べて簡単に外れることがない。
【００４４】
哺乳瓶保持具１Ａの被哺乳者への取り付け手順を説明する。最初に、世話人は、哺乳瓶保持具１Ａが被哺乳者の胴体に装着されていない状態で、哺乳瓶Ｍを哺乳瓶保持部３に挿入する。続いて、世話人は、哺乳瓶Ｍが挿入されたままの状態で、哺乳瓶保持具１Ａを被哺乳者の胴体に装着する。この際、世話人は、両突起部４ｄ，４ｅが形成された面側に傾いた状態で、哺乳瓶保持具１Ａを被哺乳者の胴体に装着する。哺乳瓶保持具１Ａを被哺乳者に装着した状態を図８に示す。この状態の哺乳瓶保持具１Ａは、両挟持部３ａ，３ｂが元の形状に戻ろうとする付勢力を用いて、両挟持部３ａ，３ｂの先端部３ｆ，３ｇ（図６参照）、及び凹部３ｃ（図６参照）の３箇所で哺乳瓶Ｍを支持している。なお、哺乳瓶Ｍの寸法によっては、両挟持部３ａ，３ｂの内面で面接触して哺乳瓶Ｍを支持する場合もある。また、保持具本体２は、哺乳瓶保持部３や胴体取付部４よりも厚い（膨らんでいる）ので、哺乳瓶Ｍが調度よい角度で安定して保持される。
【００４５】
また、哺乳瓶保持具１Ａが被哺乳者に装着された状態では、両突起部４ｄ，４ｅが被哺乳者の背中に周り込むようにして胴体と寝床面との間に入り込み（図９参照）、突起部４ｄ，４ｅの先端が被哺乳者の背中から横腹付近に引っ掛かる。その為、哺乳瓶保持具１Ａが被哺乳者に取り付けられた状態で被哺乳者が手足を動かしても簡単に外れることがない。特に、乳児（特に、生後２ヶ月〜３ヶ月程度）は、哺乳中に手足をバタバタと動かすことがある。また、乳児は様々な原始反射（例えば、モロー反射など）を行うので、哺乳中の乳児の手足の動きを抑制することが難しい場合もある。その為、哺乳瓶保持具１Ａは、乳児（特に、生後２ヶ月〜３ヶ月程度）を被哺乳者として想定する場合に特に好適である。
【００４６】
また、図５で示した以外にも、被哺乳者の動作があったときに外れにくくすることができればよく、両挟持部４ａ，４ｂの延在方向とは異なる他の方向に突起部４ｄ，４ｅが形成されていればよい。図１０に、突起部が被哺乳者とは反対向き（外側方向）に左右対称に形成されている場合を示す。図１０に示す哺乳瓶保持具１Ｂは、突起部４ｆが挟持部４ａの先端側から右側方向（外側方向）に突出し、突起部４ｇが挟持部４ｂの先端側から左側方向（外側方向）に突出している。この哺乳瓶保持具１Ｂは、突起側面が寝床面に当接することで、被哺乳者の胴体を中心にして左右方向に回転することを抑制することができる。したがって、被哺乳者が手足を動かしても、突起部４ｆ，４ｇがない場合に比べて簡単に外れることがない。
【００４７】
なお、ここまで説明してきた哺乳瓶保持具１Ａの突起部４ｄ，４ｅや、哺乳瓶保持具１Ｂの突起部４ｆ，４ｇは、いずれか一方の挟持部４ａ，４ｂにのみ形成されてもよい。また、突起部４ｄ，４ｅ，４ｆ，４ｇは、各挟持部４ａ，４ｂに複数個（例えば、各挟持部４ａ，４ｂの両側に２つずつ）形成されてもよい。各挟持部４ａ，４ｂの外側方向に加えて内側方向にさらに突起部４ｆ，４ｇが形成された場合を図１０に仮想線で示す。
【００４８】
また、突起部４ｄ，４ｅ，４ｆ，４ｇは、円錐形状に限らず、三角錐や四角錐等のように先端に向かって先細りする他の形状であってもよい。さらに、突起部４ｄ，４ｅ，４ｆ，４ｇは、両挟持部４ａ，４ｂの延在方向に対して直交する方向で、その直交する方向において上下方向に所定角度αに設ける構成としてもよい（図１０参照）。所定角度αは、直交する方向を基準として上下に３０°の範囲で設定することが可能である。この場合においても、両挟持部４ａ，４ｂの延在方向とは異なる他の方向に突起部４ｄ，４ｅ，４ｆ，４ｇが形成されていれば、被哺乳者に取り付けられた状態で被哺乳者が動いても突起側面が被哺乳者に当接するか、又は、突起側面が寝床面に当接して接触面積を大きくするので外れにくい。
【００４９】
また、実施形態の哺乳瓶保持具１，１Ａ，１Ｂは、複数の布材を接合（縫い合わせも含む）して形成されている場合に、凹部３ｃの哺乳瓶Ｍと当接する部分に接合部（縫い目）１ｂが形成されていてもよい（図５における哺乳瓶保持具１Ａ参照）。この哺乳瓶保持具１Ａは、哺乳瓶Ｍが哺乳瓶保持部３から抜け落ちないようにするための滑り止めの役割を接合部（縫い目）１ｂが果たしている。一方、凹部３ｃの哺乳瓶Ｍと当接する部分に接合部１ｂがない場合、哺乳瓶Ｍの着脱により接合部（縫い目）１ｂが欠損する虞がないという利点がある。
【００５０】
なお、実施形態で説明した哺乳瓶保持具１，１Ａの被哺乳者への取り付け手順は、一例を示したのに過ぎず、説明した手順に限定されるものではない。例えば、世話人は、先に哺乳瓶保持具１Ａ（図５参照）を被哺乳者の胴体に装着してから、哺乳瓶Ｍを哺乳瓶保持部３に挿入してもよい。
【符号の説明】
【００５１】
１，１Ａ，１Ｂ  哺乳瓶保持具
１ｂ        接合部
２      保持具本体
３      哺乳瓶保持部
３ａ，３ｂ  挟持部（哺乳瓶挟持部）
３ｃ        凹部（第２凹部）
３ｄ，３ｅ  根元部
３ｆ，３ｇ  先端部
４      胴体取付部
４ａ，４ｂ  挟持部（胴体挟持部）
４ｃ        凹部（第１凹部）
４ｄ，４ｅ，４ｆ，４ｇ  突起部
【図１】
2014133083.tif 000003
【図２】
2014133083.tif 000004
【図３】
2014133083.tif 000005
【図４】
2014133083.tif 000006
【図５】
2014133083.tif 000007
【図６】
2014133083.tif 000008
【図７】
2014133083.tif 000009
【図８】
2014133083.tif 000010
【図９】
2014133083.tif 000011
【図１０】
2014133083.tif 000012